【手続補正書】
【提出日】平成20年9月9日(2008.9.9)
【手続補正１】
【補正対象書類名】特許請求の範囲
【補正対象項目名】全文
【補正方法】変更
【補正の内容】
【特許請求の範囲】
【請求項１】
着脱可能な先端部装置を備える医療用電磁エネルギー処置システムであり、上記先端部装置は、
上記医療用電磁エネルギー処置システムの処置端部に着脱可能に取り付け可能に形成されたハウジングと、
上記ハウジングに取り付けられ、第１の安全コードを含む第１のメモリと、
上記ハウジングに取り付けられた通信装置であって、上記ハウジングが上記医療用電磁エネルギー処置システムの上記処置端部に取り付けられた時、上記医療用電磁エネルギーシステム処置システムとの通信を確立して、上記第１の安全コードに基づき上記先端部装置を認証する通信装置とを備えることを特徴とする医療用電磁エネルギー処置システム。
【請求項２】
上記先端部装置が認証されていないとき、上記医療用電磁エネルギー処置システムは、電磁処置エネルギーの供給を無効にする請求項１記載の医療用電磁エネルギー処置システム。
【請求項３】
上記先端部装置が認証されたとき、上記医療用電磁エネルギー処置システムは、電磁処置エネルギーの供給を可能にする請求項１記載の医療用電磁エネルギー処置システム。
【請求項４】
上記先端部装置に取り付けられず、かつ第２の安全コードを含む第２のメモリを更に備え、
上記先端部装置の認証は、更に上記第２の安全コードに基づく請求項１記載の医療用電磁エネルギー処置システム。
【請求項５】
上記先端部装置の認証は、上記第２の安全コードを用いたチャレンジ・レスポンスプロトコルに基づく請求項４記載の医療用電磁エネルギー処置システム。
【請求項６】
上記医療用電磁エネルギー処置システム内に位置し、第２の安全コードを含む第２のメモリを更に備え、
上記先端部装置の認証は、更に上記第２の安全コードに基づく請求項１記載の医療用電磁エネルギー処置システム。
【請求項７】
上記医療用電磁エネルギー処置システムの上記処置端部は、ハンドピースを備え、上記ハウジングは、上記ハンドピースに着脱可能に取り付けできるように形成される請求項１記載の医療用電磁エネルギー処置システム。
【請求項８】
上記ハンドピース内に位置し、第２の安全コードを含む第２のメモリを更に備え、
上記先端部装置の認証は、更に上記第２の安全コードに基づく請求項７記載の医療用電磁エネルギー処置システム。
【請求項９】
上記ハウジングを通過する、上記ハンドピースの遠位の端部からのエネルギー経路を更に備える請求項７記載の医療用電磁エネルギー処置システム。
【請求項１０】
上記エネルギー経路は、その全体にわたって自由空間である請求項９記載の医療用電磁エネルギー処置システム。
【請求項１１】
上記通信装置は、第１の組の電気的接点を備え、
上記ハンドピースは、第２の組の電気的接点を含み、
上記２組の電気的接点は、上記ハウジングが上記ハンドピースに取り付けられた時に電気的に接続される請求項７記載の医療用電磁エネルギー処置システム。
【請求項１２】
ターゲットエリア内で上記ハンドピースを移動させながら当該ターゲットエリアの処置を可能にするように、上記ハンドピースに対して上記ハウジングを適切な位置に十分な力で保持するコネクタ機構を更に備える請求項７記載の医療用電磁エネルギー処置システム。
【請求項１３】
上記第１のメモリを含む無線周波識別チップを更に備える請求項１記載の医療用電磁エネルギー処置システム。
【請求項１４】
上記通信装置は、少なくとも部分的に無線である請求項１記載の医療用電磁エネルギー処置システム。
【請求項１５】
上記ハウジングは使い捨てである請求項１記載の医療用電磁エネルギー処置システム。
【請求項１６】
動き検出器による使用のために、ターゲットエリアを照射する発光ダイオードを更に備える請求項１記載の医療用電磁エネルギー処置システム。
【請求項１７】
上記先端部装置の認証は、上記第１の安全コードを用いたチャレンジ・レスポンスプロトコルに基づく請求項１記載の医療用電磁エネルギー処置システム。
【請求項１８】
上記先端部装置の認証は、鍵付ハッシュアルゴリズムの使用を含む請求項１記載の医療用電磁エネルギー処置システム。
【請求項１９】
上記医療用電磁エネルギー処置システムは皮膚を処置するよう構成される請求項１記載の医療用電磁エネルギー処置システム。
【請求項２０】
上記先端部装置に対するシステム使用時間と、上記先端部装置を通じて伝送されたエネルギーと、上記先端部装置に対するエネルギーパルスカウントデータとのうちの少なくとも１つのデータを、上記先端部装置に取り付けられたメモリが格納する請求項１記載の医療用電磁エネルギー処置システム。
【請求項２１】
医療用電磁エネルギー処置システムであって、上記医療用電磁エネルギー処置システムは、
処置エネルギーを提供する電磁エネルギー源と、
上記電磁エネルギー源に結合されたハンドピースであり、遠位の端部を有し、上記遠位の端部を通じて上記電磁エネルギー源から上記処置エネルギーを伝送するハンドピースと、
少なくとも２つの交換可能な先端部とを備え、上記各先端部は、上記ハンドピースの上記遠位の端部に着脱可能に取り付け可能であり、上記ハンドピースの上記遠位の端部に取り付けられた時、上記先端部を通じて上記ハンドピースの遠位の端部からターゲットエリアに処置エネルギーの少なくとも一部を伝送し、上記各先端部は、安全コードを格納するメモリを含み、
上記医療用電磁エネルギー処置システムは、
上記先端部の外部に位置するホストプロセッサであって、上記先端部が上記ハンドピースの上記遠位の端部に取り付けられた時、上記格納された安全コードに基づき上記先端部を認証するホストプロセッサを備えることを特徴とする医療用電磁エネルギー処置システム。
【請求項２２】
上記先端部のうちの少なくとも２つは互いに異なり、かつ、異なる処置を生じるように機能する請求項２１記載の医療用電磁エネルギー処置システム。
【請求項２３】
上記先端部のうちの少なくとも２つは、異なる処置を生じるように機能する互いに異なる寸法を有する請求項２２記載の医療用電磁エネルギー処置システム。
【請求項２４】
上記先端部のうちの少なくとも２つは、異なる形状の解剖学的部分を処置するように互いに異なる形状に形成される請求項２２記載の医療用電磁エネルギー処置システム。
【請求項２５】
上記処置エネルギーは光エネルギーであり、
上記先端部のうちの少なくとも２つは、上記先端部の近位の端部から上記先端部の遠位の端部までの寸法において互いに異なり、このことは、上記ターゲットエリアにおける光エネルギーのスポットサイズおよび/または焦点深さを相違させるように機能する請求項２２記載の医療用電磁エネルギー処置システム。
【請求項２６】
上記処置エネルギーは光エネルギーであり、
上記先端部のうちの少なくとも２つは、フィルタ、光リミッター、受動のQスイッチ素子、飽和可能なアブソーバー、回折光素子、偏光素子、光電子素子、ホログラフィック素子、レンズ、および音響光学素子のうちの少なくとも１種類の素子であって、異なる処置を生じるように機能する互いに異なる素子である請求項２２記載の医療用電磁エネルギー処置システム。
【請求項２７】
上記電磁エネルギー源は、２つ以上の波長で光エネルギーを発生でき、
上記先端部のうちの少なくとも１つは、上記２つ以上の波長のうちの一つの波長での伝送を阻止し、上記先端部のうちの少なくとも１つの別の先端部は、異なる波長での伝送を阻止する請求項２２記載の医療用電磁エネルギー処置システム。
【請求項２８】
処置の間に上記ホストプロセッサによりアクセスされる先端部固有のデータを、上記先端部に取り付けられたメモリが格納する請求項２２記載の医療用電磁エネルギー処置システム。
【請求項２９】
上記処置エネルギーは光エネルギーであり、
異なる処置は、焦点深度、光スポットサイズ、光ビーム形状、処置エリアの寸法、および処置パターンのうちの少なくとも１つの処置特性に関して異なる請求項２１記載の医療用電磁エネルギー処置システム。
【請求項３０】
上記先端部のうちの少なくとも１つは、対応する処置に関係するデータを含むメモリを含む請求項２１記載の医療用電磁エネルギー処置システム。
【請求項３１】
上記先端部に対するシステム使用時間と、上記先端部を通じて伝送されたエネルギーと、上記先端部に対するエネルギーパルスカウントデータとのうちの少なくとも一つを、上記先端部に取り付けられたメモリが格納する請求項２１記載の医療用電磁エネルギー処置システム。
【請求項３２】
上記先端部のタイプ、上記先端部の構成、上記先端部のパラメータ、システム構成、および、システムパラメータのうちの少なくとも一つを、上記先端部に取り付けられたメモリが格納する請求項２１記載の医療用電磁エネルギー処置システム。
【請求項３３】
上記ホストプロセッサは、上記メモリに格納されたデータをアップデートする請求項２１記載の医療用電磁エネルギー処置システム。
【請求項３４】
上記ホストプロセッサは、上記メモリから読み出したデータに基づき、上記処置エネルギーの光特性の少なくとも１つを制御する請求項２１記載の医療用電磁エネルギー処置システム。
【請求項３５】
上記処置エネルギーの特性は、パルス幅、パルス形状、エネルギー、ビーム形状、波長、デューティサイクル、およびパルス反復速度の一つ以上を含む請求項３４記載の医療用電磁エネルギー処置システム。
【請求項３６】
上記先端部の実際の使用量が先端部使用量のしきい値を超えた時、上記ホストプロセッサは、処置エネルギーの伝送を停止する請求項２１記載の医療用電磁エネルギー処置システム。